(57)【特許請求の範囲】
【請求項１】
封体内に発光部と非発光部を有するフィラメントが配置された複数の管型白熱電球を加熱ローラ内に配置し、一方の管型白熱電球のフィラメントの発光部が、他方の管型白熱電球のフィラメントの非発光部に対向するようにそれぞれの管型白熱電球の封体が向かい合うように配置された管型白熱電球において、
前記それぞれの管型白熱電球は、発光部に対向する位置であるとともに他方の管型白熱電球の封体と向かい合っている部分の封体に反射膜が形成されており、
前記反射膜は、発光部の中心点から他方の管型白熱電球の封体の外表面と接する２つの仮想接線を引き、この仮想接線が内部に発光部が位置する管型白熱電球の封体と交差する２つの交点を仮想交点とし、この２つの仮想交点の間に存在する封体の外表面に形成されていることを特徴とする管型白熱電球。
【請求項２】
封体内に発光部と非発光部を有するフィラメントが配置された複数の管型白熱電球を加熱ローラ内に配置し、一方の管型白熱電球のフィラメントの発光部が、他方の管型白熱電球のフィラメントの非発光部に対向するようにそれぞれの管型白熱電球の封体が向かい合うように配置された管型白熱電球において、
前記それぞれの管型白熱電球は、非発光部に対向する位置であるとともに他方の管型白熱電球の封体と向かい合っている部分の封体に反射膜が形成されており、
前記反射膜は、発光部の中心点から他方の管型白熱電球の封体の外表面と接する２つの仮想接線を引き、この仮想接線が内部に非発光部が位置する管型白熱電球の封体と接する２つの接点を仮想接点とし、この２つの仮想接点の間に存在する封体の外表面に形成されていることを特徴とする管型白熱電球。
【請求項３】
封体内に発光部と非発光部を有するフィラメントが配置された複数の管型白熱電球を加熱ローラ内に配置し、一方の管型白熱電球のフィラメントの発光部が、他方の管型白熱電球のフィラメントの非発光部に対向するようにそれぞれの管型白熱電球の封体が向かい合うように配置された管型白熱電球において、
前記一方の管型白熱電球は、発光部および非発光部に対向する位置であるとともに他方の管型白熱電球の封体と向かい合っている部分の封体に反射膜が形成されており、
前記反射膜は、一方の管型白熱電球の発光部の中心点から他方の管型白熱電球の封体の外表面と接する２つの仮想接線を引き、この仮想接線が内部に発光部が位置する一方の管型白熱電球の封体と交差する２つの交点を仮想交点とし、この２つの仮想交点の間に存在する封体の外表面に形成され、
前記反射膜は、他方の管型白熱電球の発光部の中心点から一方の管型白熱電球の封体の外表面と接する２つの仮想接線を引き、この仮想接線が内部に非発光部が位置する一方の管型白熱電球の封体と接する２つの接点を仮想接点とし、この２つの仮想接点の間に存在する封体の外表面に形成されていることを特徴とする管型白熱電球。
【請求項４】
請求項３に記載の管型白熱電球において、前記反射膜は、連続して帯状に形成されていることを特徴とする請求項３に記載の管型白熱電球。
【発明の詳細な説明】
【０００１】
【発明が属する技術分野】
本発明は、例えば電子写真複写機、レーザプリンタ、ファクシミリ等におけるトナー像定着装置の加熱ローラ内に配置される熱源用の管型白熱電球に関するものである。
【０００２】
【従来の技術】
電子写真複写機等において、記録紙上に形成されたトナー像を加熱定着させるための方式として、従来より、加熱ローラとこれに対接配置された加圧ローラとの間に、未定着トナー像が形成された記録紙を通過させることにより、前記未定着トナー像を記録紙に定着させるヒートローラ方式が広く知られている。
【０００３】
このようなヒートローラ方式の加熱ローラは、加熱ローラの内部に熱源用の管型白熱電球が配置されており、管型白熱電球から放射される光によって加熱ローラを所定の温度に加熱して未定着トナー像を記録紙に加熱定着させる構造になっている。
【０００４】
電子写真複写機では、例えば幅広のＡ３サイズの記録紙や、幅狭のＢ５サイズの記録紙を加熱する場合があり、幅の異なる記録紙を一つの加熱ローラで加熱するものである。
このように、幅の異なる記録紙を一つの加熱ローラで加熱する場合、図１に示すように、加熱ローラ内に配置される管型白熱電球は、複数本、この例においては２本使用するものである。
【０００５】
図１を用いて詳細に説明すると、管型白熱電球１，２は、封体１０，２０の内部に管軸に沿ってフィラメント１１，２１が配置されている。
フィラメント１１，２１は、それぞれ発光部１１ａ，２１ａと非発光部１１ｂ，２１ｂよりなる。
そして、管型白熱電球１，２は、それぞれ少し離れた状態で平行になるように配置されている。
【０００６】
また、図１に示すように、管型白熱電球１，２は、それぞれのフィラメント１１，２１の発光部１１ａ，２１ａ同士が対向しないように、言い換えれば、フィラメント１１の発光部１１ａがフィラメント２１の非発光部２１ｂに対向し、フィラメント１１の非発光部１１ｂがフィラメント２１の発光部２１ａに対向するように、加熱ローラ内に配置されている。
【０００７】
このような位置関係にある管型白熱電球１，２を加熱ローラ内に配置することにより、図１に示すように、幅広の記録紙、例えばＡ３サイズの記録紙を加熱する場合は、Ａ３サイズに対応する通紙域Ａ全体を加熱するために管型白熱電球１，２の両方を点灯させ、幅狭の記録紙、例えばＢ５サイズの記録紙を加熱する場合は、Ｂ５サイズに対応する通紙域Ｂのみを加熱するために管型白熱電球１のみを点灯させるものである。
そして、それぞれの管型白熱電球１，２から放射された赤外領域から可視光領域の光（以下、単に「光」ともいう。）によって、加熱ローラを内面から加熱するものである。
【０００８】
【発明が解決しようとする課題】
しかしながら、図１のＸ−Ｘ断面図であるとともに加熱ローラの位置関係も合わせて表現した図２に示すように、管型白熱電球１は、フィラメント１１を中心にして封体半径方向３６０°全方向に光が放射される。
そして、管型白熱電球１，２は、それぞれ少し離れた状態で平行になるように配置されているので、一方の管型白熱電球１のフィラメント１１の発光部１１ａから放射された光は、加熱ローラ３の内表面に向かう光Ｒ１と、対向する他方の管型白熱電球２の方向に向かう光Ｒ２が存在することになる。
【０００９】
そして、この位置での他方の管型白熱電球２は、非発光部２１ｂであるため、この位置での管型白熱電球１と管型白熱電球２の温度を比較した場合、他方の管型白熱電球２の温度が低い状態になっている。
この結果、管型白熱電球１から放射された光のうち、管型白熱電球２の方向に放射された光Ｒ２は、管型白熱電球２の封体２０や不図示のフィラメントを支持するフィラメントサポータなどに吸収され、この管型白熱電球２自体を加熱することに利用されるので、加熱ローラ３の内表面に到達せず、このような光は加熱ローラの加熱に直接寄与しておらず、管型白熱電球１から放射された光が効率よく加熱ローラの加熱に利用されていなかった。
【００１０】
なお、管型白熱電球２の封体２０に吸収された光は、封体２０の温度を上げ、加熱された封体２０からの輻射熱によって加熱ローラの内表面を加熱する作用をも有しているが、封体２０からの輻射熱は、管型白熱電球２と加熱ローラ３内表面との間に存在する空気層によって吸収されるため加熱ローラ３を短時間で効率良く加熱することができなかった。
【００１１】
さらに、近年、加熱ローラの表面温度を、極めて短時間で所定の温度にまで昇温させる要求、つまり、立上がり時間を短くする要求がある。この要求を満たすためには、加熱ローラ内表面に直接照射される光量を大きくする必要がある。
しかし、前述したように、加熱ローラ内に配置された複数の管型白熱電球は、互いに向かい合う他方の管型白熱電球の方向に放射された光が、他方の管型白熱電球の封体やフィラメントサポータなどに吸収されこの他方の管型白熱電球自体を加熱することに利用されてしまうので、加熱ローラ内表面に直接照射される光量が低下してしまい、立上がり時間を短くすることができなった。
【００１２】
本発明の目的は、上記の種々の問題に鑑みて、加熱ローラ内に配置された管型白熱電球から放射された光を効率良く加熱ローラの加熱に利用することができ、加熱ローラの立上がり時間を短くすることができる管型白熱電球を提供することにある。
【００１３】
【課題を解決するための手段】
上記課題を解決するために、請求項１に記載の管型白熱電球は、封体内に発光部と非発光部を有するフィラメントが配置された複数の管型白熱電球を加熱ローラ内に配置し、一方の管型白熱電球のフィラメントの発光部が、他方の管型白熱電球のフィラメントの非発光部に対向するようにそれぞれの管型白熱電球の封体が向かい合うように配置された管型白熱電球において、
前記それぞれの管型白熱電球は、発光部に対向する位置であるとともに他方の管型白熱電球の封体と向かい合っている部分の封体に反射膜が形成されており、
前記反射膜は、発光部の中心点から他方の管型白熱電球の封体の外表面と接する２つの仮想接線を引き、この仮想接線が内部に発光部が位置する管型白熱電球の封体と交差する２つの交点を仮想交点とし、この２つの仮想交点の間に存在する封体の外表面に形成されていることを特徴とする。
【００１４】
請求項２に記載の管型白熱電球は、封体内に発光部と非発光部を有するフィラメントが配置された複数の管型白熱電球を加熱ローラ内に配置し、一方の管型白熱電球のフィラメントの発光部が、他方の管型白熱電球のフィラメントの非発光部に対向するようにそれぞれの管型白熱電球の封体が向かい合うように配置された管型白熱電球において、
前記それぞれの管型白熱電球は、非発光部に対向する位置であるとともに他方の管型白熱電球の封体と向かい合っている部分の封体に反射膜が形成されており、
前記反射膜は、発光部の中心点から他方の管型白熱電球の封体の外表面と接する２つの仮想接線を引き、この仮想接線が内部に非発光部が位置する管型白熱電球の封体と接する２つの接点を仮想接点とし、この２つの仮想接点の間に存在する封体の外表面に形成されていることを特徴とする。
【００１５】
請求項３に記載の管型白熱電球は、封体内に発光部と非発光部を有するフィラメントが配置された複数の管型白熱電球を加熱ローラ内に配置し、一方の管型白熱電球のフィラメントの発光部が、他方の管型白熱電球のフィラメントの非発光部に対向するようにそれぞれの管型白熱電球の封体が向かい合うように配置された管型白熱電球において、
前記一方の管型白熱電球は、発光部および非発光部に対向する位置であるとともに他方の管型白熱電球の封体と向かい合っている部分の封体に反射膜が形成されており、
前記反射膜は、一方の管型白熱電球の発光部の中心点から他方の管型白熱電球の封体の外表面と接する２つの仮想接線を引き、この仮想接線が内部に発光部が位置する一方の管型白熱電球の封体と交差する２つの交点を仮想交点とし、この２つの仮想交点の間に存在する封体の外表面に形成され、
前記反射膜は、他方の管型白熱電球の発光部の中心点から一方の管型白熱電球の封体の外表面と接する２つの仮想接線を引き、この仮想接線が内部に非発光部が位置する一方の管型白熱電球の封体と接する２つの接点を仮想接点とし、この２つの仮想接点の間に存在する封体の外表面に形成されていることを特徴とする。
【００１６】
請求項４に記載の管型白熱電球は、請求項３に記載の管型白熱電球であって、特に、前記反射膜は、連続して帯状に形成されていることを特徴とする。
【００１７】
【発明の実施の形態】
図３は、本発明の電子写真複写機の加熱ローラ内に配置される管型白熱電球の正面図である。
本実施例では、加熱ローラ内に２本の管型白熱電球が配置されている。
【００１８】
管型白熱電球１，２は、両端に封止部を有する石英ガラス製の管型の封体１０，２０の内部に管軸に沿ってタングステン製のフィラメント１１，２１が配置されている。
フィラメント１１，２１は、それぞれフィラメント素線を密に巻回した発光部１１ａ，２１ａと、短絡芯線あるいはフィラメント素線を疎に巻回した非発光部１１ｂ，２１ｂよりなる。
そして、管型白熱電球１，２は、それぞれ封体間が約１０ｍｍ離れた状態で平行になるように配置されている。
【００１９】
図３に示すように、管型白熱電球１，２は、それぞれのフィラメント１１，２１の発光部１１ａ，２１ａ同士が対向しないように、具体的には、フィラメント１１の発光部１１ａがフィラメント２１の非発光部２１ｂに対向し、フィラメント１１の非発光部１１ｂがフィラメント２１の発光部２１ａに対向するように、加熱ローラ内に配置されている。
このようなフィラメントの位置関係を有するそれぞれの管型白熱電球は、従来技術で説明したように、幅の異なる記録紙を一つの加熱ローラで加熱するためのものである。
【００２０】
そして、管型白熱電球１は、フィラメント１１の発光部１１ａに対向する位置であるとともに他方の管型白熱電球２の封体２０と向かい合っている部分の封体１０外表面に発光部１１ａから放射された光を反射する反射膜Ｍが形成されている。
管型白熱電球２も、フィラメント２１の発光部２１ａに対向する位置であるとともに他方の管型白熱電球１の封体１０と向かい合っている部分の封体２０外表面に発光部２１ａから放射された光を反射する反射膜Ｍが形成されている
【００２１】
この反射膜Ｍは、主にフィラメントから放射された赤外領域から可視項領域までの光を効率良く反射するものであり、また、耐熱性が高く封体である石英ガラスとの密着性が高いことが必要であり、具体的には、セラミック系塗料を塗布乾燥させたセラミック部材やアルミニウムや金の蒸着膜からなる反射膜である。
【００２２】
図４（イ）（ロ）は、図３中Ｙ−Ｙ断面図、Ｚ−Ｚ断面図であるとともに加熱ローラの位置関係も加えて表現した断面説明図である。図４（イ）に示すように、この断面位置での管型白熱電球１のフィラメント１１は発光部１１ａであり、管型白熱電球２のフィラメント２１は非発光部２１ｂである。そして、管型白熱電球１の封体１０の外表面の一部分に反射膜Ｍが形成されている。この反射膜Ｍを形成する領域は、管型白熱電球１の発光部１１ａの中心点をＣとして、他方の管型白熱電球２の封体２０の外表面と接する２つの仮想接線Ｌ１、Ｌ２と封体１０が交差する仮想交点をＰ１、Ｐ２としたときに、このＰ１、Ｐ２の間に存在する封体１０の外表面円弧部分である。なお、Ｐ１、Ｐ２を超えて反射膜Ｍが形成されていてもよいが、反射膜ＭがＰ１、Ｐ２を超える割合が大きくなると、封体から放射される光量が低下するので、光量が低下しない範囲に形成しなければならない。
【００２３】
そして、図４（イ）に示すように、管型白熱電球１のフィラメント１１の発光部１１ａから放射された光は、加熱ローラ３の内表面に直接照射される光Ｒ１と、向かい合う管型白熱電球２の方向に向かう光Ｒ２とがあり、管型白熱電球２の方向に向かう光Ｒ２は、封体１０の外表面に形成された反射膜Ｍによって反射され、この断面位置において管型白熱電球１に比べ相対的に温度が低い管型白熱電球２の封体２０やフィラメントサポータなどに吸収されず、よって管型白熱電球２自体を加熱することに利用されることなく、加熱ローラ３の内表面に反射して照射される。
【００２４】
この結果、フィラメント１１の発光部１１ａから放射された光が、効率良く加熱ローラ３の内表面に照射されることになり、加熱ローラ３の内表面に照射される光量を大きくすることができるので、加熱ローラの立上がり時間を短くすることができる。
【００２５】
図４（ロ）に示すように、この断面位置での管型白熱電球１のフィラメント１１は非発光部１１ｂであり、管型白熱電球２のフィラメント２１は発光部２１ａである。
そして、管型白熱電球２の封体２０の外表面の一部分に反射膜Ｍが形成されている。この反射膜Ｍを形成する領域は、前述した図４（イ）で示す管型白熱電球１の場合と同様に、管型白熱電球２の発光部２１ａの中心点をＣとして、他方の管型白熱電球１の封体１０の外表面と接する２つの仮想接線Ｌ１、Ｌ２と封体２０が交差する仮想交点をＰ１、Ｐ２としたときに、このＰ１、Ｐ２の間に存在する封体２０の外面円弧部分である。
【００２６】
この結果、図４（ロ）に示すように、管型白熱電球１の方向に向かう光Ｒ２は、封体２０の外表面に形成された反射膜Ｍによって反射され、この断面位置において管型白熱電球２と比べ相対的に温度が低い管型白熱電球１の封体１０やフィラメントサポータなどに吸収されず管型白熱電球１自体を加熱することに利用されることなく、加熱ローラ３の内表面に反射して照射されるので、フィラメント２１の発光部２１ａから放射された光Ｒ１、Ｒ２が、効率良く加熱ローラ３の内表面に照射されることになり、加熱ローラ３の内表面に照射される光量を大きくすることができ、加熱ローラの立上がり時間を短くすることができる。
【００２７】
図５は、本発明の電子写真複写機の加熱ローラ内に配置される他の実施例の管型白熱電球の正面図であり、図３と同一符号は同一部分であるために説明は省略する。
図５に示すように、管型白熱電球１は、フィラメント１１の非発光部１１ｂに対向する位置であるとともに他方の管型白熱電球２の封体２０と向かい合っている部分の封体１０外表面に反射膜Ｍが形成されている。この反射膜Ｍは、他方の管型白熱電球２のフィラメント２１の発光部２１ａに対向する部分に形成されているので、他方の管型白熱電球２の発光部２１ａから放射された光を反射するものである。
管型白熱電球２も、フィラメント２１の非発光部２１ｂに対向する位置であるとともに他方の管型白熱電球１の封体１０と向かい合っている部分の封体２０外表面に反射膜Ｍが形成されている。この反射膜Ｍは、他方の管型白熱電球１のフィラメント１１の発光部１１ａに対向する部分に形成されているので、他方の管型白熱電球１の発光部１１ａから放射された光を反射するものである。
なお、反射膜Ｍの材質は、前述したとおりである。
【００２８】
図６（イ）（ロ）は、図５中Ｙ−Ｙ断面図、Ｚ−Ｚ断面図であるとともに加熱ローラの位置関係も加えて表現した断面説明図である。
図６（イ）に示すように、この断面位置での管型白熱電球１のフィラメント１１は非発光部１１ｂであり、管型白熱電球２のフィラメント２１は発光部２１ａである。
そして、管型白熱電球１の封体１０の外表面の一部分に反射膜Ｍが形成されている。この反射膜Ｍを形成する領域は、光を放射する方の他方の管型白熱電球２の発光部２１ａの中心点をＣとして、管型白熱電球１の封体１０の外表面と接する２つの仮想接線Ｌ１、Ｌ２と封体１０が接する仮想接点をＰ１、Ｐ２としたときに、このＰ１、Ｐ２の間に存在する封体１０の外表面円弧部分である。
【００２９】
この結果、図６（イ）に示すように、光を放射する方の他方の管型白熱電球２のフィラメント２１の発光部２１ａから放射された光は、加熱ローラ３の内表面に直接照射される光Ｒ１と、向かい合う管型白熱電球１の方向に向かう光Ｒ２とがあり、管型白熱電球１の方向に向かう光Ｒ２は、封体１０の外表面に形成された反射膜Ｍによって反射され、この断面位置において管型白熱電球２に比べ相対的に温度が低い管型白熱電球１の封体１０やフィラメントサポータなどに吸収されず、よって管型白熱電球１自体を加熱することに利用されることなく、加熱ローラ３の内表面に反射して照射される。
【００３０】
この結果、管型白熱電球２のフィラメント２１の発光部２１ａから放射された光が、効率良く加熱ローラ３の内表面に照射されることになり、加熱ローラ３の内表面に照射される光量を大きくすることができるので、加熱ローラの立上がり時間を短くすることができる。
【００３１】
図６（ロ）に示すように、この断面位置での管型白熱電球１のフィラメント１１は発光部１１ａであり、管型白熱電球２のフィラメント２１は非発光部２１ｂである。
そして、管型白熱電球２の封体２０の外表面の一部分に反射膜Ｍが形成されている。この反射膜Ｍを形成する領域は、前述した図６（イ）で示す管型白熱電球１の場合と同様に、光を放射する方の管型白熱電球１の発光部１１ａの中心点をＣとして、管型白熱電球２の封体２０の外表面と接する２つの仮想接線Ｌ１、Ｌ２と封体２０が接する仮想接点をＰ１、Ｐ２としたときに、このＰ１、Ｐ２の間に存在する封体２０の外面円弧部分である。
【００３２】
この結果、図６（ロ）に示すように、管型白熱電球２の方向に向かう光Ｒ２は、封体２０の外表面に形成された反射膜Ｍによって反射され、この断面位置において管型白熱電球１と比べ相対的に温度が低い管型白熱電球２の封体２０やフィラメントサポータなどに吸収されず管型白熱電球２自体を加熱することに利用されることなく、加熱ローラ３の内表面に反射して照射されるので、フィラメント１１の発光部１１ａから放射された光Ｒ１、Ｒ２が、効率良く加熱ローラ３の内表面に照射されることになり、加熱ローラ３の内表面に照射される光量を大きくすることができ、加熱ローラの立上がり時間を短くすることができる。
【００３３】
図７は、本発明の電子写真複写機の加熱ローラ内に配置される他の実施例の管型白熱電球の正面図であり、図３と同一符号は同一部分であるために説明は省略する。
図７に示すように、管型白熱電球１のみに、反射膜Ｍ１，Ｍ２が形成されている。
具体的には、管型白熱電球１は、フィラメント１１の発光部１１ａと非発光部１１ｂに対向する位置であるとともに他方の管型白熱電球２の封体２０と向かい合っている部分の封体１０表面に反射膜Ｍ１，Ｍ２が形成されている。
この反射膜Ｍ１，Ｍ２は、管型白熱電球１のフィラメント１１の発光部１１ａから放射された光と、管型白熱電球２のフィラメント２１の発光部２１ａから放射された光を反射するものである。
【００３４】
図７中Ｙ−Ｙ断面図は、図６（イ）に示した反射膜と同じ構成の反射膜であり、図６（イ）で説明したとおりの位置の管型白熱電球１の封体１０外面に形成されており、図７中Ｚ−Ｚ断面図は、図４（イ）に示した反射膜と同じ構成の反射膜であり、図４（イ）で説明したとおりの位置の管型白熱電球１の封体１０外面に形成されている。
つまり、管型白熱電球１の発光部１１ａから放射された光は、管型白熱電球の封体１０外面に形成された反射膜Ｍ１によって、加熱ローラの内表面に反射され、管型白熱電球２の発光部２１ａから放射された光は、他方の管型白熱電球の封体１０外面に形成された反射膜Ｍ２によって、加熱ローラの内表面に反射して照射されるので、各フィラメント１１，１２の発光部１１ａ，２１ａから放射された光が、効率良く加熱ローラの内表面に照射されることになり、加熱ローラの内表面に照射される光量を大きくすることができ、加熱ローラの立上がり時間を短くすることができる。
【００３５】
なお、管型白熱電球１に形成される反射膜Ｍ１，Ｍ２は、フィラメント１１の発光部１１ａと非発光部１１ｂの位置に跨って連続して帯状に形成してもよい。この場合、管型白熱電球１の封体１０から放射さえる光量の低下が問題とならない範囲であれば、発光部１１ａと非発光部１１ｂの対向する部分の反射膜の幅を変えずに一定幅の反射膜であっても良い。
なお、反射膜Ｍ１，Ｍ２は、管型白熱電球１にのみ形成したが、管型白熱電球２にも形成し、それぞれの管型白熱電球に反射膜を形成してもよい。
【００３６】
次に、図３に示すそれぞれの封体１０，２０に反射膜Ｍを有する２本の管型白熱電球１，２を外径３５ｍｍ、肉厚１ｍｍの鉄製の円筒状基材の表面にテフロンコートを施した加熱ローラ内に配置して、管型白熱電球１のみ８００Ｗで点灯した場合、加熱ローラの表面が３０℃から定着可能な１８０℃に達するのに２５．２秒であった。
一方、それぞれの封体１０，２０に反射膜Ｍを有していないこと以外は同様の２本の管型白熱電球を同様の加熱ローラ内に配置して、管型白熱電球１のみ８００Ｗで点灯した場合、加熱ローラの表面温度が３０℃から定着可能な１８０℃に達するのに２５．６秒かかった。
つまり、本発明の管型白熱電球を用いた方が、０．４秒も昇温スピードを上げることができた。
この結果からも、明らかなように、本発明の管型白熱電球は、フィラメントから放射された光が効率良く加熱ローラの内表面に反射して照射されるので、加熱ローラの内表面に照射される光量を大きくすることができ、加熱ローラの立上がり時間を短くすることができる。
【００３７】
【発明の効果】
以上説明したように、加熱ローラ内に配置される本発明の複数の管型白熱電球によれば、一方の管型白熱電球は、発光部、或いは、非発光部、或いは、発光部および非発光部に対向する位置であるとともに他方の管型白熱電球の封体を向かい合っている部分の封体に反射膜が形成されているので、封体内のフィラメントから放射された光が効率良く加熱ローラの内表面に反射して照射されるので、加熱ローラの内表面に照射される光量を大きくすることができ、加熱ローラの立上がり時間を短くすることができる。
【図面の簡単な説明】
【図１】従来の管型白熱電球の説明図である。
【図２】図１のＸ−Ｘ断面図であるとともに加熱ローラの位置関係も加えた断面説明図である。
【図３】本発明の管型白熱電球の説明図である。
【図４】図３のＹ−Ｙ断面図とＺ−Ｚ断面図であるとともに加熱ローラの位置関係も加えた断面説明図である。
【図５】本発明の他の実施例の管型白熱電球の説明図である。
【図６】図５のＹ−Ｙ断面図とＺ−Ｚ断面図であるとともに加熱ローラの位置関係も加えた断面説明図である。
【図７】本発明の他の実施例の管型白熱電球の説明図である。
【符号の説明】
１      管型白熱電球
２      管型白熱電球
１０    封体
２０    封体
１１    フィラメント
２１    フィラメント
１１ａ  発光部
２１ａ  発光部
１１ｂ  非発光部
２１ｂ  非発光部
Ｍ      反射膜
Ｍ１    反射膜
Ｍ２    反射膜
【図１】
0003829611.tif 000002
【図２】
0003829611.tif 000003
【図３】
0003829611.tif 000004
【図４】
0003829611.tif 000005
【図５】
0003829611.tif 000006
【図６】
0003829611.tif 000007
【図７】
0003829611.tif 000008